(57)【要約】      （修正有）【課題】組み立てが容易で組み立てのための治具を必要としない額縁を提供する。【解決手段】平面状展示物を展示するための開口部７を有し、該開口部７を囲む複数の枠ａ、ｂ、ｃ、ｄ及び該枠を連結する複数の蝶番８、９を有する折りたたみ式額縁１において、前記複数の枠は２つの長枠ａ、ｃ及び２つの短枠ｂ、ｄからなり、前記２つの長枠ａ、ｃは、前記開口部７をはさんで互いに平行に対向し、前記２つの短枠ｂ、ｄは、前記開口部７をはさんで互いに平行に対向し、かつ、いずれの前記長枠ａ、ｃに対しても直角に隣り合い、前記２つの短枠ｂ、ｄは、それぞれ中央部で２つの分割片ｂ１、ｂ２、ｄ１、ｄ２に分割され、前記複数の蝶番は２つの枠蝶番８及び４つの角蝶番９からなり、前記枠蝶番８は、前記２つの短枠ｂ、ｄにおける前記２つの分割片どうしをそれぞれ回動可能に連結し、前記４つの角蝶番９は、額縁１の４つの角でそれぞれ回動可能に連結する。【選択図】図１
2016055137.tif 000002
【特許請求の範囲】
【請求項１】
平面状展示物を展示するための開口部７を有し、該開口部７を囲む複数の枠ａ、ｂ、ｃ、ｄ及び該枠を連結する複数の蝶番８、９を有する折りたたみ式額縁１、２において、
前記複数の枠は２つの長枠ａ、ｃ及び２つの短枠ｂ、ｄからなり、
前記２つの長枠ａ、ｃは、前記開口部７をはさんで互いに平行に対向し、
前記２つの短枠ｂ、ｄは、前記開口部７をはさんで互いに平行に対向し、かつ、いずれの前記長枠ａ、ｃに対しても直角に隣り合い、
前記２つの短枠ｂ、ｄは、それぞれ中央部で２つの分割片ｂ１、ｂ２、ｄ１、ｄ２に分割され、
前記複数の蝶番は２つの枠蝶番８及び４つの角蝶番９からなり、
前記枠蝶番８は、前記２つの短枠ｂ、ｄにおける前記２つの分割片どうしをそれぞれ回動可能に連結し、
前記４つの角蝶番９は、隣り合う前記長枠と前記短枠を額縁１、２の４つの角でそれぞれ回動可能に連結することを特徴とする折りたたみ式額縁。
【発明の詳細な説明】
【産業上の利用分野】
【０００１】平面状展示物を展示するための額縁に関する。
【従来技術】
【０００２】絵、写真、ポスター及び書画等の平面状展示物を展示する組み立て式額縁は既知である。しかし、該額縁においては、それぞれ独立した枠等を組み立てや分離をする必要があり、作業者に多大な負担を強いるものであった。額縁の組み立て及び分離が手間であるため、一旦組み立てると分離せずに組み立てたままの状態で利用することも多々あったが、面積が大きいため組み立てた額縁は、持ち運びしづらく、鉄道やバス等の交通手段の中では置き場所がなくて苦労し、倉庫や押入れ等に保管の際には広いスペースを必要とする不便なものであった。
【０００３】さらに、従来の額縁の組み立て・分離にはドライバー等の治具が必要で、治具を忘れた場合、作業ができない欠点もあった。
【発明の概要】
【発明が解決しようとする課題】
【０００４】従来技術の不便さ及び欠点を鑑み、本願発明においては、組み立て・折りたたみが容易で、組み立てた状態で運ぶ手間がなく、保管性にも優れ、しかも治具を必要としない便利な平面状提示物の額縁の提供を目的とする。
【課題を解決するための手段】
【０００５】上記目的のために次に示す折りたたみ式額縁を提供する。【０００６】平面状展示物を展示するための開口部を有し、該開口部を囲む複数の枠及び該枠を連結する複数の蝶番を有する折りたたみ式額縁において、前記複数の枠は２つの長枠及び２つの短枠からなり、前記２つの短枠は、前記開口部をはさんで互いに平行に対向し、かつ、いずれの前記長枠に対しても直角に隣り合い、前記２つの短枠は、それぞれ中央部で２つの分割片に分割され、前記複数の蝶番は２つの枠蝶番及び４つの角蝶番からなり、前記枠蝶番は、前記２つの短枠における前記２つの分割片どうしをそれぞれ回動可能に連結し、前記４つの角蝶番は、隣り合う前記長枠と前記短枠を額縁の４つの角でそれぞれ回動可能に連結することを特徴とする折りたたみ式額縁。
【発明の効果】
【０００７】本願発明により、組み立て・折りたたみが容易ゆえに組み立てた状態で運ぶ必要がなく、保管性にも優れ、しかも治具を必要としない便利な平面状提示物の額縁の提供が可能となった。
【図面の簡単な説明】
【０００８】
【図１】正面に枠蝶番を取り付けた折りたたみ式額縁の正面図及び側面図
【図２】裏面に枠蝶番を取り付けた折りたたみ式額縁の裏面図及び側面図
【図３】額縁の折りたたみ説明用の正面図及び側面図
【図４】額縁の折りたたみ説明用の正面図及び側面図
【発明を実施するための形態】
【０００９】本願において、「平面状展示物」とは、絵、写真、ポスター及び書画等の基本的に二次元的な表現物を意味する。また、「正面」とは、額縁に平面状展示物を展示した際に、鑑賞者が表面展示物を鑑賞可能な側の面を示す。「裏面」とは、「正面」の裏側の面である。
【００１０】図１を用いて実施例１における組み立て済みの額縁１の説明を行う。額縁１は、平面状展示物を展示するための長方形の開口部７を囲む枠を有する。枠は長枠及び短枠から構成される。前記長枠は、前記開口部７をはさんで平行に向き合う、一方側枠の第１長枠ａ及び他方側枠の第２長枠ｃから構成される。前記短枠は、前記開口部７をはさんで平行に向き合い前記第１長枠ａと前記第２長枠ｃのいずれにも直角に隣り合う、一方側枠の第１短枠ｂ及び他方側枠の第２短枠ｄから構成される。
【００１１】前記第１短枠ｂは中央部で第１分割片ｂ１及び第２分割片ｂ２に分割されており、同様に前記第２短枠ｄも中央部で第３分割片ｄ１及び第４分割片ｄ２に分割されている。枠蝶番８は該枠蝶番８を枠に固定する２つの羽部とヒンジ部から構成される。前記第１短枠ｂの前記第１分割片ｂ１及び前記第２分割片ｂ２は枠蝶番８で回動可能に連結されており、該枠蝶番８の２つの羽部は前記第１分割片ｂ１の正面側表面及び前記第２分割片ｂ２の正面側表面にそれぞれ固定されている。同様に、前記第２短枠ｄの前記第３分割片ｄ１及び前記第４分割片ｄ２は別の枠蝶番８で回動可能に連結されており、該枠蝶番８の２つの羽部は前記第３分割片ｄ１の正面側表面及び前記第４分割片ｄ２の正面側表面にそれぞれ固定されている。前記短枠の前記枠蝶番８を回動させることにより、図３で示されるとおり、前記第１長枠ａと前記第２長枠ｃを重ね合わせることが可能となる。
【００１２】正面視において、前記第１長枠ａの開口部７側辺長は、外形側辺長よりも短く、前記第２長枠ｃの開口部７側辺長は、外形側辺長よりも短く、前記第１短枠ｂの開口部７側辺長は、外形側辺長よりも短く、前記第２短枠ｄの開口部７側辺長は、外形側辺長よりも短い。そして、前記長枠と前記短枠の各接合辺は、正面視で前記額縁１の角から該角に対向する前記開口部７の角を結ぶ直線である。正面視で前記長枠及び前記短枠の形状は台形である。また、前記長枠の外形側辺長は前記短枠の外形側辺長よりも長い。
【００１３】角蝶番９は該角蝶番９を枠に固定する２つの羽部と回動可能なヒンジ部から構成される。前記角蝶番９は額縁１の４つの角にそれぞれ配設される。第１長枠ａと第１分割片ｂ１は角蝶番９で連結されており、該角蝶番９の２つの羽部は前記第１長枠ａの側面側表面及び前記第１分割片ｂ１の側面側表面にそれぞれ固定されている。第１長枠ａと第３分割片ｄ１は別の角蝶番９で連結されており、該角蝶番９の２つの羽部は前記第１長枠ａの側面側表面及び前記第３分割片ｄ１の側面側表面にそれぞれ固定されている。第２長枠ｃと第２分割片ｂ２はさらに別の角蝶番９で連結されており、該角蝶番９の２つの羽部は前記第２長枠ｃの側面側表面及び前記第２分割片ｂ２の側面側表面にそれぞれ固定されている。第２長枠ｃと第４分割片ｄ２は、さらにまた別の角蝶番９で連結されており、該角蝶番９の２つの羽部は前記第２長枠ｃの側面側表面及び前記第４分割片ｄ２の側面側表面にそれぞれ固定されている。
【００１４】前記第１短枠ｂの前記第１分割片ｂ１の裏面側表面及び前記第２分割片ｂ２の裏面側表面に折れ防止の手段１０を取り付けることにより、前記第１短枠ｂの中央部を中心とした回動を抑制し、第１短枠ｂのふらつきを防止すことが可能である。同様に、前記第２短枠ｄの前記第３分割片ｄ１の裏面側表面及び前記第４分割片ｄ２の裏面側表面に折れ防止の手段１０を取り付けることにより、前記短枠ｄの中央部を中心とした回動を抑制し、第２短枠ｄのふらつきを防止することが可能である。折れ防止の手段１０は、各分割片の裏面側表面に取り付けるものと説明したが、各分割片の側面側表面や正面側表面に取り付けるものであっても良い。また、折れ防止の手段１０は第１短枠ｂ及び第２短枠ｄのいずれにも設けられるとの説明を行ったが、折れ防止の手段１０は第１短枠ｂ及び第２短枠ｄのいずれか一方のみに設けるものであって良い。
【００１５】図３及び図４を用いて実施例１における前記額縁１の折りたたみの説明を行う。前記２つの短枠の前記枠蝶番８を額縁１の正面側が内側になるように図３のＭ方向に回動して、前記第１長枠ａと前記第２長枠ｃを重ね合わせる。そして、図４に示されるとおり、前記４つの角蝶番９を回動して前記第１分割片ｂ１及び前記第２分割片ｂ２をＮ方向に、前記第３分割片ｄ１及び前記第４分割片ｄ２をＫ方向にそれぞれ回転させて、分割片と長枠を平行に保持する。
【００１６】図２に示される実施例２の額縁の説明を行う。実施例１においては、額縁の正面側に枠蝶番８が設けられるので美観性が高くない。そのため、実施例２においては２つの枠蝶番８の各々の羽部を分割片の裏面側表面に固定することにより、枠蝶番が組み立て後の額縁の裏面側に設けられるようにし、額縁の美観性を高めている。
【００１７】実施例２における額縁の折りたたみについては、前記２つの短枠の前記枠蝶番８を額縁１の裏面側が内側になるように回動することを除き、概ね実施例１と同様の態様である。
【００１８】図示しないが実施例３を説明する。実施例１及び実施例２では、開口部７が長方形であったが、実施例３においては、長枠と短枠の外形側辺長に関する点は、同じであるが、長枠より短枠の枠幅を広くして、開口部７が正方形となる額縁を提供する。長枠と短枠の幅に関する点以外、実施例３の態様は実施例１や実施例２と同様である。
【００１９】図示しない実施例４について説明する。実施例３では、長枠より短枠の枠幅を広くして、開口部７が正方形となる額縁としたが、長枠と短枠の枠幅は同じとして、開口部７を正方形にするために生じる角蝶番９と短枠との隙間を埋めて角蝶番９を短枠に取り付けることによって、開口部が正方形の額縁を提供する。開口部７を正方形にするために生じる角蝶番９と短枠との隙間を埋めて角蝶番９を短枠に取り付ける以外は、実施例４の態様は、実施例１や実施例２と同様である。
【００２０】実施例１−４の額縁の枠の材質は、金属、木材、プラスチック、ＦＲＰ及び石膏等の中から適宜選択して使用して良い。また、これらの材質を適宜組み合わせて使用することも可能である。
【００２１】従来技術の額縁が運搬・保管等の際、枠を分解していたのに対し、本願発明の額縁は、枠が相互に連結のまま折りたたみ可能なので、枠分解の必要がなく、ドライバー等の治具も不要である。本願の額縁は、組み立て・折りたたみが容易ゆえに組み立てた状態で運ぶ必要がなく、保管性にも優れている。
【符号の説明】
【００２２】１    額縁（折りたたみ式額縁で蝶番が正面にある）
２    額縁（折りたたみ式額縁で蝶番が裏面にある）
７    開口部
８    枠蝶番
９    角蝶番
１０  実施例１における折れ防止の手段
１１  実施例２における折れ防止の手段
ａ    第１長枠
ｂ    第１短枠
ｂ１  第１分割片
ｂ２  第２分割片
ｃ    第２長枠
ｄ    第２短枠
ｄ１  第３分割片
ｄ２  第４分割片
ｗ１  額縁の開口幅
ｗ２  内側の開口幅
ｈ１  額縁の開口高さ
ｈ２  内側の開口高さ
Ｎ    角蝶番のヒンジ部を中心とした折りたたみ回動方向
Ｋ    角蝶番のヒンジ部を中心とした折りたたみ回動方向
Ｍ    枠蝶番のヒンジ部を中心とした折りたたみ回動方向
【図１】
2016055137.tif 000003
【図２】
2016055137.tif 000004
【図３】
2016055137.tif 000005
【図４】
2016055137.tif 000006